(57)【要約】    【課題】  共振線路用孔のピッチを極端に狭くすることなく、通過帯域の低域側に高減衰量の減衰極を生じさせるようにした誘電体フィルタ、誘電体デュプレクサおよびそれらを備えた通信装置を提供する。    【解決手段】  誘電体ブロック１に、順に隣接する共振線路用孔４ａ〜４ｄを配列し、隣接する３つの共振線路用孔４ａ，４ｂ，４ｃ，４ｄの近傍に、これらの共振線路用孔による共振線路の開放端付近との間でそれぞれ容量が生じる導体を形成したマルチパス用溝１１を配置する。これにより共振線路用孔４ａ，４ｂ，４ｃ，４ｄによる４段の共振器をＣＣＣ結合させて、通過帯域の低域側に減衰極を生じさせる。【選択図】  図１
2005150927.tif 000002
【特許請求の範囲】
【請求項１】
それぞれの内面に共振線路を形成した複数の共振線路用孔を誘電体ブロックに設け、該誘電体ブロックの外面に外導体を形成した誘電体フィルタにおいて、
前記誘電体ブロックの一方の開口面または該開口面付近を開放端とする少なくとも４つの共振線路用孔を順に隣接配置するとともに、それら４つの共振線路用孔のうち１つの共振線路用孔を間に挟む少なくとも２つの共振線路用孔を、該開放端側を大径孔、短絡端側を小径孔とするステップ状の共振線路用孔とし、
前記４つの共振線路用孔のうち外側の２つの共振線路用孔の共振線路にそれぞれ結合する２つの入出力部を前記誘電体ブロックに設け、
内面に形成した導体膜と前記４つの共振線路用孔の共振線路の開放端付近との間にそれぞれ容量を生じさせるマルチパス用の溝を前記開放端側の前記誘電体ブロックの開口面に設け、
前記４つの共振線路用孔の共振線路の開放端付近と前記マルチパス用の溝との間に生じる容量と、隣接する共振線路間に生じる容量とにより、前記４つの共振線路用孔の１段目−２段目間、２段目−３段目間、３段目−４段目間をそれぞれ容量性結合させたことを特徴とする誘電体フィルタ。
【請求項２】
前記２つの入出力部のうち少なくとも一方の入出力部に結合する、一方端が開放されたトラップ用共振線路用孔を前記誘電体ブロックに備えた請求項１に記載の誘電体フィルタ。
【請求項３】
実装基板に対する実装面である前記誘電体ブロックの一つの外面に入出力端子を形成し、前記実装面とは反対側の面寄りに前記マルチパス用の溝を配置した請求項１または２に記載の誘電体フィルタ。
【請求項４】
実装基板に対する実装面である前記誘電体ブロックの一つの外面に入出力端子を形成し、前記実装面寄りと、該実装面とは反対側の面寄りに前記マルチパス用の溝をそれぞれ配置した請求項１または２に記載の誘電体フィルタ。
【請求項５】
前記４つの共振線路用孔のうち外側の２つの共振線路用孔より内側の２つの共振線路用孔について、当該２つの共振線路用孔の各共振線路の開放端付近と前記マルチパス用の溝内面の導体膜との間に生じる容量を大きくした請求項１〜４のいずれかに記載の誘電体フィルタ。
【請求項６】
送信フィルタと受信フィルタを備えるとともに、両フィルタのうち通過帯域の高い方のフィルタを請求項１〜５のいずれかに記載の誘電体フィルタで構成したことを特徴とする誘電体デュプレクサ。
【請求項７】
請求項１〜５のいずれかに記載の誘電体フィルタまたは請求項６に記載の誘電体デュプレクサを通信信号処理回路部に備えた通信装置。
【発明の詳細な説明】
【技術分野】
【０００１】
この発明は、高周波回路に適用される誘電体フィルタ、誘電体デュプレクサおよびそれらを備えた通信装置に関するものである。
【背景技術】
【０００２】
誘電体ブロックに複数の共振線路を設けた誘電体フィルタとして特許文献１が開示されている。この特許文献１には、共振線路用孔をステップ形状とし、大径孔部と小径孔部の軸を相対的に大きく偏心させて、共振線路用孔が屈曲した構造をとる超異軸構造の誘電体フィルタが示されている。また、開放端側が大径孔部であるステップ形状の共振線路用孔（以下、「ステップ孔」という。）を用いることによって、隣接する共振器間を容量性結合（以下、「Ｃ結合」という。）させること、およびＣ結合により通過帯域の低域側に減衰極を生じさせること、さらに共振線路用孔のピッチを必要に応じて設定することで、減衰極を所望の周波数に合わせることが開示されている。
【０００３】
このような共振線路同士の結合により、共振器間を通過した信号とマルチパス部を介して通過した信号との位相差が１８０°となる周波数で減衰極が発生する。また、共振線路用孔のピッチを必要に応じて設定することによって減衰極を所望の周波数に合わせることができる。
【特許文献１】特開平１０−２５６８０７号公報
【発明の開示】
【発明が解決しようとする課題】
【０００４】
４つの共振器の隣接する共振器間をそれぞれＣ結合させれば、理論上低域側に３つの減衰極を有する特性が得られる。しかし、誘電体ブロック内に上記大径孔部と小径孔部の軸を同軸にしたステップ孔を４つ配置した場合、実際にはそのような特性は得られず、通過帯域に近接する周波数帯で大きな減衰量が得られない。
【０００５】
これは、１段目の共振器と３段目の共振器の間、２段目の共振器と４段目の共振器の間、１段目の共振器と４段目の共振器の間にそれぞれ構造上の容量（飛び結合容量）が発生するため、低域の各減衰極は近づき合い、最終的には重なって減衰極が消えるためであると考えられる。または、共振器本来のモード（ＴＥＭモード）と、誘電体ブロック内に発生するＴＥモードとの干渉で減衰極が消えるものと考えられる。以下、この減衰極が消える現象を「極消え現象」という。
【０００６】
また、特許文献１に示されているように、大径孔部と小径孔部とを異軸とし、隣り合う共振器間のＣ結合を大きくすると、別の共振器間の結合のＣ結合が弱くなるか誘導性結合になってしまい、４つの共振器間をそれぞれＣ結合（以下「ＣＣＣ結合」という。）とすることが困難であり、低域側に所望の減衰量を得ることができない。
【０００７】
そこで、この発明の目的は、上述の問題を解消し、少なくとも４つの共振線路用孔を用いて低域側に減衰極を有する誘電体フィルタ、誘電体デュプレクサおよびそれらを備えた通信装置を提供することにある。
【課題を解決するための手段】
【０００８】
この発明の誘電体フィルタは、それぞれの内面に共振線路を形成した複数の共振線路用孔を誘電体ブロックに設け、誘電体ブロックの外面に外導体を形成し、誘電体ブロックの一方の開口面または該開口面付近を開放端とする４つの共振線路用孔を順に隣接配置するとともに、それら４つの共振線路用孔のうち１つの共振線路用孔を間に挟む少なくとも２つの共振線路用孔を、開放端側を大径孔、短絡端側を小径孔とするステップ状の共振線路用孔とし、４つの共振線路用孔のうち外側の２つの共振線路用孔の共振線路にそれぞれ結合する２つの入出力部を誘電体ブロックに設け、内面に形成した導体膜と４つの共振線路用孔の共振線路の開放端付近との間にそれぞれ容量を生じさせるマルチパス用の溝を開放端側の誘電体ブロックの開口面に設け、４つの共振線路用孔の共振線路の開放端付近と前記マルチパス用の溝との間に生じる容量と、隣接する共振線路間に生じる容量とにより、前記４つの共振線路用孔の１段目−２段目間、２段目−３段目間、３段目−４段目間をそれぞれ容量性結合させたことを特徴としている。
【０００９】
また、この発明の誘電体フィルタは、前記２つの入出力部のうち少なくとも一方の入出力部に結合する、一方端が開放されたトラップ用共振線路用孔を前記誘電体ブロックに備えたことを特徴としている。
【００１０】
また、この発明の誘電体フィルタは、実装基板に対する実装面である前記誘電体ブロックの一つの外面に入出力端子を形成し、前記実装面とは反対側の面寄りに前記マルチパス用の溝を配置したことを特徴としている。
【００１１】
また、この発明の誘電体フィルタは、実装基板に対する実装面である前記誘電体ブロックの一つの外面に入出力端子を形成し、前記実装面寄りと、該実装面とは反対側の面寄りに前記マルチパス用の溝をそれぞれ配置したことを特徴としている。
【００１２】
また、この発明の誘電体フィルタは、前記４つの共振線路用孔のうち外側の２つの共振線路用孔より内側の２つの共振線路用孔について、当該２つの共振線路用孔の各共振線路の開放端付近と前記マルチパス用の溝内面の導体膜との間に生じる容量を大きくしたことを特徴としている。
【００１３】
また、この発明の誘電体デュプレクサは、送信フィルタと受信フィルタを備えるとともに、両フィルタのうち通過帯域の高い方のフィルタを上記構成の誘電体フィルタで構成したことを特徴としている。
【００１４】
また、この発明の通信装置は、上記誘電体フィルタまたは誘電体デュプレクサを高周波回路部に設けたことを特徴としている。
【発明の効果】
【００１５】
この発明によれば、４つの共振線路用孔の隣接する共振線路用孔の開放端側に短絡端に比べて大きな容量が生じるが、それとともに上記負の容量（飛び容量）が発生するので、そのままでは上記「極消え現象」が生じる。しかし、隣接する共振線路がマルチパス用の溝で互いに容量性結合するので、上記極消え現象により消える減衰極の復活がなされて、通過帯域の低域側に３つの減衰極が生じ、通過帯域の低域側に高い減衰量が確保できる。
【００１６】
また、一方の入出力部にトラップ用共振線路が結合する場合、このトラップ用共振線路によるトラップ共振器で通過帯域の低域側の所定の帯域を更に減衰させることができる。
【００１７】
また、この発明によれば、実装基板に対する実装面である誘電体ブロックの一つの外面に入出力端子を形成し、実装面とは反対側の面寄りに前記マルチパス用の溝を配置したことにより、実装基板上で誘電体フィルタに隣接する他の部品とマルチパス用溝の導体との間で、または実装基板に設けられた電極とマルチパス用溝の導体との間で浮遊容量が生じにくくなり、実装基板への実装後の特性変化が抑制できる。
【００１８】
また、この発明によれば、実装基板に対する実装面である前記誘電体ブロックの一つの外面に入出力端子を形成し、前記実装面寄りと、該実装面とは反対側の面寄りに前記マルチパス用の溝をそれぞれ配置したことにより、２つのマルチパス用の溝でより強い容量性結合を得ることができ、上記消える減衰極の復活および減衰極に発生位置（減衰極周波数）の制御が容易となる。
【００１９】
また、この発明によれば、４つの共振線路用孔のうち外側の２つの共振線路用孔より内側の２つの共振線路用孔について、当該２つの共振線路用孔の各共振線路の開放端付近とマルチパス用の溝内面の導体膜との間に生じる容量を大きくしたので、外部結合回路と結合する共振線路（Ｑ劣化のある共振線路）の影響を受けにくくなり、Ｑの劣化量を抑えることができる。
【００２０】
また、この発明によれば、送信フィルタと受信フィルタを備えるとともに、両フィルタのうち通過帯域の高い方のフィルタを上記構成の誘電体フィルタとして誘電体デュプレクサを構成したことにより、通過帯域の低域側により大きな減衰極を設けて、もう一方のフィルタが通過する周波数帯域への影響または該周波数帯域からの影響を受けにくくできる。
【００２１】
また、この発明によれば、上記誘電体フィルタまたは誘電体デュプレクサを高周波回路部に設けたことにより、高周波回路特性に優れた小型の通信装置が得られる。
【発明を実施するための最良の形態】
【００２２】
図１は誘電体デュプレクサの外観斜視図であり、（Ａ）は実装基板への実装状態で、（Ｂ）は実装面を上側にして示した外観斜視図である。また、図２はこの誘電体デュプレクサの四面図と断面図であり、（Ｃ）は正面図、（Ｂ）は上面図、（Ａ）は背面図、（Ｄ）は右側面図、（Ｅ）は（Ｃ）におけるＡ−Ａ部分の断面図である。
【００２３】
略直方体形状の誘電体ブロック１には、それぞれの内面に共振線路を形成した、複数の共振線路用孔２ａ〜２ｃ，３，４ａ〜４ｄ，５を設けている。また、内面に励振線路を形成した励振線路用孔７，８，９を設けている。誘電体１の外面には図１の（Ｂ）における左手前の端面を除く他の五面の略全面に外導体１０を形成している。励振線路用孔７，８，９の一方の端部は誘電体ブロック１の一方の端面で外導体１０に導通させていて、他方の端部から実装面にかけて送信端子１７、アンテナ端子１８、受信端子１９をそれぞれ形成している。各共振線路用孔２〜５は誘電体ブロックの対向する２面で開口させていて、一方の開口面で共振線路を開放させている。この共振線路の開放端側（図１（Ｂ）の左手前の面側）の内径を大きく、短絡端側（図１（Ｂ）の右後方の面側）の内径を小さくしたステップ孔としている。
【００２４】
共振線路用孔４ａ，４ｂ，４ｃ，４ｄのそれぞれに近接する位置には所定幅・所定長さ・所定深さのマルチパス用溝１１を形成している。このマルチパス用溝１１の内面には導体膜を形成していて、共振線路用孔４ａ，４ｂ，４ｃ，４ｄの内面に形成した共振線路の開放端付近との間でそれぞれ容量を生じさせている。
【００２５】
共振線路用孔２ａ，２ｂ，２ｃの内面に形成した共振線路の開放端付近と外導体１０との間の容量を増すために段部１２ａ，１２ｂを形成している。
【００２６】
誘電体ブロック１の一方の端面には部分的に外導体１０を形成していて、励振線路用孔７，８，９の内面にそれぞれ形成した励振線路の端部をその外導体１０に導通させている。共振線路用孔２ａと３との間、２ｃと４ａとの間、更に４ｄと５の間には、それらの間で結合を阻止するアース孔６をそれぞれ形成している。これらのアース孔６の内面には全面に導体膜を形成していて、その両端を外導体１０に導通させている。
【００２７】
図１・図２に示したように、各種入出力端子１７，１８，１９を形成した誘電体ブロック１の面を実装面として実装基板に表面実装した際、マルチパス用溝１１は実装基板から遠ざかることになる。その結果、マルチパス用溝１１内面の導体膜と実装基板に設けた電極や実装基板上の他の部品などとの間で生じる浮遊容量が小さくなり、そのことによる特性変化が抑えられる。
【００２８】
図３は上記４つの共振線路用孔４ａ，４ｂ，４ｃ，４ｄとマルチパス用の溝１１の形成箇所に生じる容量について示している。ここで、共振線路用孔４ａ，４ｂ，４ｃ，４ｄの開放端側で隣接する共振線路用孔の間にそれぞれ容量Ｃｋ１，Ｃｋ２，Ｃｋ３がそれぞれ生じる。また共振線路用孔４ａ〜４ｄの共振線路の開放端付近とマルチパス用溝１１との間にそれぞれ容量Ｃｍ１，Ｃｍ２，Ｃｍ３，Ｃｍ４がそれぞれ生じる。この容量Ｃｋ１，Ｃｋ２，Ｃｋ３により一応ＣＣＣ結合の形となるが、Ｃｋ１，Ｃｋ２，Ｃｋ３だけでは上述した極消え現象が生じ、通過帯域の低域側に所望の十分な減衰量が得られない。しかし、この発明によればマルチパス用溝１１の間に生じる容量Ｃｍ１〜Ｃｍ４を介して各共振線路間が容量性結合するので、ＣＣＣ結合して通過帯域の低域側に高い減衰量を得ることができる。
【００２９】
図４は図１に示した誘電体デュプレクサの等価回路図である。ここでＺ１，Ｚ２などＺに付加した添え字は図２の（Ｃ）に示した線路Ｌ１〜Ｌ９，Ｌａ，Ｌｂ，Ｌｃの通し番号に対応していて、例えばＺ１などの１桁の添え字を付して示すインピーダンスは、共振線路および励振線路の自己容量によるインピーダンス、Ｚ１２，Ｚ２３などのように２桁の添え字を付して示すインピーダンスは、結合する共振線路同士または共振線路と励振線路との間に生じる結合インピーダンスである。
【００３０】
Ｚ１２は線路Ｌ１−Ｌ２間の結合インピーダンス、Ｚｂｃは線路Ｌｂ−Ｌｃ間の結合インピーダンスである。また、Ｚ２３は線路Ｌ２−Ｌ３間の結合インピーダンス、Ｚ６７は線路Ｌ６−Ｌ７間の結合インピーダンス、Ｚ７８は線路Ｌ７−Ｌ８間の結合インピーダンス、Ｚａｂは線路Ｌａ−Ｌｂ間の結合インピーダンスである。
【００３１】
図４において、Ｚ１２，Ｚｂｃはπ／２の位相回路として作用するため、Ｚ１とＺ１２とでトラップ共振器として作用する。同様に、ＺｃとＺｂｃとでトラップ共振器として作用する。
【００３２】
Ｚ３４は共振線路Ｌ３−Ｌ４間の誘導性結合を表すインピーダンス、Ｚ４５は共振線路Ｌ４−Ｌ５間の容量性結合を表すインピーダンス、Ｚ５６は共振線路Ｌ５−Ｌ６間の容量性結合を表すインピーダンスである。また、Ｚ８９は共振線路Ｌ８−Ｌ９間の誘導性結合を表すインピーダンス、Ｚ９ａは共振線路Ｌ９−Ｌａ間の誘導性結合を表すインピーダンスである。
【００３３】
この例では、誘電体ブロックは横幅１８ｍｍ、奥行き６．４ｍｍ、高さ４．５ｍｍであり、受信フィルタ側の共振線路用孔４ａ〜４ｄのピッチを略等しくしている。この例では、４ａ−４ｂ間のピッチを１．９２ｍｍ、４ｂ−４ｃ間のピッチを１．６４ｍｍ、４ｃ−４ｄ間のピッチを１．９３ｍｍとしている。また、送信帯域減衰量が５５ｄＢ以上となるように、マルチパス用溝１１の深さを０．４ｍｍ、幅０．５ｍｍ、長さ３．５ｍｍとし、共振線路用孔４ａ，４ｄとの間に比べて４ｂ，４ｃとの間に、より近接するように配置している。
【００３４】
図５は、この誘電体デュプレクサのアンテナ端子−受信端子間の透過特性Ｓ２１を示している。ここで縦軸はアンテナ端子１８から受信端子１９への透過特性Ｓ２１の減衰量であり、１目盛が１０ｄＢであり、太線が０ｄＢの位置を示している。また、横軸は開始周波数を１７３０ＭＨｚ、終了周波数を２１３０ＭＨｚのリニアスケールとしている。通過帯域の低域側に生じている減衰極Ｐａ，Ｐｂ，Ｐｃはマルチパス用溝１１を設けたことによって、共振線路用孔４ａ，４ｂ，４ｃによる３段の共振器を互いに容量性結合させたことにより生じる減衰極である。
【００３５】
この第１の実施形態に係る誘電体デュプレクサの受信フィルタ部の構成では、マルチパス用溝１１により通過帯域の低域側に３つの減衰極Ｐａ，Ｐｂ，Ｐｃが生じ、上記トラップ共振器により更にもう１つの減衰極が生じるが、この例ではトラップ共振器による減衰極をＰａに一致または近接させているので、図５では通過帯域の低域側に３つの減衰極Ｐａ，Ｐｂ，Ｐｃだけが現れている。
【００３６】
ところで、前述した極消え現象の原因と考えられる飛び容量による極消え現象を回避するために、４つの共振線路を容量性結合、誘導性結合、容量性結合の順に結合（ＣＬＣ結合）させることも有効ではある。しかし、その構造では、共振線路用孔のピッチが不等間隔になってしまう。そのため、誘電体ブロックを成型する際の成型寸法のばらつきにより、共振線路用孔のピッチの狭い部分は上記成型ばらつきの影響を大きく受けることになり、製造時の特性不良率増加の要因となる。また、共振線路用孔のピッチの狭い部分は共振線路に流れる電流の密度が高くなり、共振器の無負荷Ｑ（Ｑｏ）が低くなって、上記減衰極を設けることによる特性改善の妨げとなる。
【００３７】
これに対し、この発明では図１〜図３に示したマルチパス用溝１１を設ける。このマルチパス用溝１１により共振線路間のＣ結合を大きくして減衰極の復活を図っている。
【００３８】
なお、減衰極周波数は共振線路用孔のピッチに関係なくマルチパス用溝１１の寸法により制御できる。すなわち、マルチパス用溝１１の長さ寸法を変えることによって、図３に示した容量Ｃｍ２，Ｃｍ３を略一定としたまま容量Ｃｍ１，Ｃｍ４を変化させて減衰極の周波数を制御することができる。
【００３９】
一般に、複数の共振線路のうち外側に位置する共振線路は外部回路との整合のため、回路として影響の大きな（インピーダンスの小さな）エレメントが接続される。図１・図２の例では、共振線路用孔４ａ，４ｄの共振線路は励振線路用孔８，９の励振線路と結合する。これは共振器のＱ劣化につながる。このことは、マルチパス用溝によるマルチパス回路についても同様であり、Ｑ劣化のある共振線路との結合容量を減らすことによってＱの劣化量を抑えることができる。
【００４０】
また、減衰極位置（周波数）制御のためのマルチパス容量Ｃｍ１〜Ｃｍ４は本来微小容量でよい。ところが、マルチパス容量のみを小さくして制御すると、そのバラツキによる影響が大きくなる。そこで、４つの共振線路のうち内側の２つの共振線路とマルチパス用溝１１との間の容量Ｃｍ２、Ｃｍ３を、外側の２つの共振線路とマルチパス用溝１１との間の容量Ｃｍ１，Ｃｍ４より大きくする。このことによってマルチパスがより安定化する。すなわち、端の共振線路との容量Ｃｍ１，Ｃｍ４よりも中央の共振線路との容量Ｃｍ２，Ｃｍ３が大きいほど（容量比に換言すると、Ｃｍ１，Ｃｍ４に対するＣｍ２，Ｃｍ３の容量比が大きいほど）、極消えが効果的に解消でき、大きな減衰量をばらつきの少ない状態で得られる。
【００４１】
また、共振線路用孔のピッチに関係なくマルチパス容量を制御すれば、通過帯域の低域側の減衰極周波数を制御できるので、通過帯域の低域側に近接する減衰域の減衰特性は共振線路用孔のピッチとは独立してマルチパス用溝の寸法により定めることができる。そのため、減衰特性の設計上の自由度が高い。
【００４２】
このようにして、共振器間ピッチを変更することなく減衰極の周波数を設定することができる。また、マルチパス用溝１１の寸法は、誘電体ブロックの成型金型によって安定して設けることができるので、特性ばらつきが小さく、特性調整などのコストアップ要因が無く良品率が向上するため、全体に低コスト化が図れる。
【００４３】
なお、３つの共振器の隣接共振器間をそれぞれＬ結合させる構成（ＬＬ結合）にしても、共振器間に飛び容量が発生するが、ＬＬ結合の場合には、２本の減衰極を離れさせるように作用する。従って、極消え現象は生じない。図１・図２に示した例で、送信フィルタ部の３つの共振器はＬＬ結合しているが、この３つの共振器のうち、中央の共振器の開放面を大きくすることによって、両端の共振器の飛び容量を小さくして、通過帯域の高域側に生じる減衰極を制御している。
【００４４】
図６は、この第１の実施形態に係る誘電体デュプレクサにおける受信フィルタと送信フィルタの透過特性を示す図である。Ｒｘは受信フィルタの透過特性、Ｔｘは送信フィルタの透過特性である。このように、低域側を送信周波数帯域、高域側を受信周波数帯域とし、低域側の減衰極Ｐａ，Ｐｂ，Ｐｃで送信帯域の所定周波数帯域の信号を減衰させる。また、送信フィルタの減衰極Ｐｄによって受信帯域の所定周波数帯域の信号を減衰させる。この送信フィルタの通過帯域の高域側の減衰極Ｐｄは段部１２ａ，１２ｂによる誘導性結合に起因して生じたものである。
【００４５】
この実施形態では、デュプレクサの通過帯域周波数の高い方のフィルタ（受信フィルタ）に適用するが、例えば米国のＰＣＳ−ＣＤＭＡ方式用のデュプレクサであり、次の表に示すように、相手側（通過帯域周波数の低い方）の通過帯域に高減衰量が要求される。
【００４６】
〔表１〕
＿＿＿＿＿＿＿＿＿＿＿＿＿＿＿＿＿＿＿＿＿＿＿＿＿＿＿＿＿＿＿
項目              周波数範囲            仕様
＿＿＿＿＿＿＿＿＿＿＿＿＿＿＿＿＿＿＿＿＿＿＿＿＿＿＿＿＿＿＿
帯域内挿入損失(IL)    1850〜1910[MHz]       4.0(dB) 以下
減衰量 (Att)          1930〜1990[MHz]      55.0(dB) 以上
＿＿＿＿＿＿＿＿＿＿＿＿＿＿＿＿＿＿＿＿＿＿＿＿＿＿＿＿＿＿＿
図５に示した限界ラインＬＩ，ＬＡは上記帯域内挿入損失（ＩＬ）および減衰量の要求スペックに対応している。図５・図６から明らかなように、この発明によれば上記要求特性を満足できることがわかる。
【００４７】
図１に示した誘電体デュプレクサの製造方法は次のとおりである。
（１）まず、各共振線路用孔、励振孔、アース孔、マルチパス用溝、段部を設けた誘電体ブロックを一体成型によって形成する。
（２）次に、誘電体ブロックの内外面の全面をＡｇ等の導体膜でメタライズする。
【００４８】
（３）その後、誘電体ブロックの外面の不要な導体膜部分を削除する。各入出力端子部分は例えば超音波切削ツールを用いて外導体から分離形成する。また、誘電体ブロックの開放端側の面（開放端面）は、その面を平面研磨することによって形成する。
【００４９】
上記平面研磨に際に、各励振線路用孔７，８，９の短絡端とアース孔６の一端がそれぞれ外導体１０に導通する部分が削除されてしまわないように、それらの部分を予めわずかに凹ませておく。このことによって、誘電体ブロックの一端面の単純な平面研磨によって、上記開放端面を容易に形成することできる。そのため製造コストを削減できる。
【００５０】
次に、第２の実施形態に係る誘電体デュプレクサの２つの構成例について図７を基に説明する。
図７の（Ａ），（Ｂ）は何れも誘電体デュプレクサの開放端面側の正面図である。（Ａ）に示す例では、マルチパス用溝１１の中央部を共振線路用孔４ｂ，４ｃに対してそれぞれより近接するように屈折した形状としている。このようにして、共振線路用孔４ｂ，４ｃに設けた共振線路同士のＣ結合を、共振線路用孔４ａ，４ｂの共振線路同士のＣ結合および共振線路用孔４ｃ，４ｄの共振線路同士のＣ結合より相対的に大きくしてもよい。これにより、上記の効果をさらに高めることができる。
【００５１】
また図７の（Ｂ）に示す例では、３つのマルチパス用溝１１ａ，１１ｂ，１１ｃを設けている。ここでマルチパス用溝１１ａは共振線路用孔４ａ，４ｂの共振線路間のＣ結合を高め、マルチパス用溝１１ｂは共振線路用孔４ｂ，４ｃの共振線路間のＣ結合を高め、マルチパス用溝１１ｃは共振線路用孔４ｃ，４ｄの共振線路間のＣ結合を高める。このようにマルチパス用溝を個別に設ければ、各マルチパス用溝の形状を単純化でき、且つ隣接する２つの共振線路間のＣ結合の強さをそれぞれ独立して容易に定めることができる。
【００５２】
なお、第１・第２の実施形態では、各共振線路用孔４ａ〜４ｄのすべての共振線路用孔の断面形状を開放端側と短絡端側とでその内径をステップ状に変化させたステップ孔としたが、これらの共振線路用孔のうち、１つの共振線路用孔を間に挟む少なくとも２つの共振線路用孔をステップ孔にしてもよい。その構造でも隣接する各共振線路の開放端側同士に生じる容量を大きくして、隣接する各共振線路間をそれぞれＣ結合させることができる。
【００５３】
また、第１・第２の実施形態では単一の誘電体ブロックに送信フィルタと受信フィルタを備えた誘電体デュプレクサを示したが、通過帯域の低域側に減衰極を有する帯域通過フィルタ単体についても同様に適用できる。
【００５４】
次に、第３の実施形態に係る誘電体デュプレクサの構成を図８を参照して説明する。
第１・第２の実施形態では、誘電体ブロックの対向する２面間を貫通する、内面に励振線路を形成した励振線路用孔によって入出力を行うようにしたが、この図８に示す例では、誘電体ブロック１の側面に入出力部としての送信端子１７および受信端子１９を形成している。共振線路用孔２ｄの内面に形成した共振線路の開放端付近と送信端子１７とは容量性結合する。また共振線路形成用孔４ｅの内面に形成した共振線路の開放端付近と受信端子１９とが容量性結合する。第１・第２の実施形態では３つの共振線路によって送信フィルタを構成し、４つの共振線路によって受信フィルタを構成したが、この図８に示す例では、共振線路用孔２ｄ，２ａ，２ｂ，２ｃによる４段の共振器によって送信フィルタを構成していて、共振線路用孔４ａ〜４ｅの５段の共振器によって受信フィルタを構成している。なお、この誘電体デュプレクサにはトラップ共振器を設けていない。その他の構成は図１に示したものと同様である。
【００５５】
このようにして誘電体ブロックの側面に形成した入出力用の端子と共振線路とを容量性結合させて入出力を行うようにしてもよい。
【００５６】
次に、第４の実施形態に係る通信装置の構成例を図９を参照して説明する。
図９は通信装置の主要部の構成を示すブロック図である。この装置の送信系は電圧制御発振器（ＶＣＯ）１３８、ミキサ１３４、バンドパスフィルタ１３３、増幅器１３２、アイソレータ１３１、デュプレクサ１２３の送信フィルタで構成している。ミキサ１３４はＶＣＯ１３８の発振信号と送信信号とをミキシングしてバンドパスフィルタ１３３で必要な送信帯域の信号を通過させ、増幅器１３２で増幅し、アイソレータ１３１を介し、更にデュプレクサ１２３の送信フィルタを介してアンテナ１２２から送信する。受信系はデュプレクサ１２３の受信フィルタ、増幅器１３５、バンドパスフィルタ１３６、ミキサ１３７、バンドパスフィルタ１３９から構成している。アンテナ１２２からの受信信号はデュプレクサ１２３の受信フィルタを通過し、増幅器１３５で増幅され、バンドパスフィルタ１３６で必要な受信信号帯域のみ選択される。ミキサ１３７はこの信号とバンドパスフィルタ１３９から出力されるローカル信号とをミキシングして受信回路への受信信号を出力する。
【００５７】
前述の各実施形態で示した構成の誘電体デュプレクサはデュプレクサ１２３に適用できる。また、前述した単体のフィルタをフィルタ１３３，１３６，１３９のいずれかに適用できる。
【図面の簡単な説明】
【００５８】
【図１】第１の実施形態に係る誘電体デュプレクサの外観斜視図
【図２】同誘電体デュプレクサの各孔と線路との関係を示す図
【図３】同誘電体デュプレクサのマルチパス用溝形成領域で生じる容量を示す図
【図４】同誘電体デュプレクサの等価回路図
【図５】同誘電体デュプレクサの受信フィルタ部の特性を示す図
【図６】同誘電体デュプレクサにおける受信フィルタと送信フィルタの透過特性を示す図
【図７】第２の実施形態に係る誘電体デュプレクサの正面図
【図８】第３の実施形態に係る誘電体デュプレクサの構成を示す斜視図
【図９】第４の実施形態に通信装置の構成を示すブロック図
【符号の説明】
【００５９】
１−誘電体ブロック
２，３，４，５−共振線路用孔
６−アース孔
７，８，９−励振線路用孔
１０−外導体
１１−マルチパス用溝
１２，１３−段部
１７−送信端子
１８−アンテナ端子
１９−受信端子
【図１】
2005150927.tif 000003
【図２】
2005150927.tif 000004
【図３】
2005150927.tif 000005
【図４】
2005150927.tif 000006
【図５】
2005150927.tif 000007
【図６】
2005150927.tif 000008
【図７】
2005150927.tif 000009
【図８】
2005150927.tif 000010
【図９】
2005150927.tif 000011